(57)【要約】【課題】既存あるいは既設の蛍光灯の代わりにシーリングライトとして用いることができ、天井面側も所定の照度を得ることができるようにしたＬＥＤ照明器具を提案すること。【解決手段】ＬＥＤ照明器具１では、その照明灯カバー２に内蔵されている各ＬＥＤランプ５、６を、それらの発光点が照明灯カバー２の左右の傾斜板部分２４、２５から外方に突出した状態となるように、傾斜板部分２４、２５に形成した貫通穴２６、２７に装着し、傾斜板部分２４、２５から突出しているＬＥＤランプ５、６の部分を光透過性および光拡散性のランプカバー７、８によって覆っている。天井面１１０に取り付けた状態において、左右の傾斜板部分２４、２５から下方に突出した位置に発光点が位置している各ＬＥＤランプ５、６からの射出光がランプカバー７、８を通って散乱光となって天井面側にも照射され、天井面側においても所定の照度を確保できる。【選択図】図２
2011014359.tif 000002
【特許請求の範囲】
【請求項１】
天井面に取り付ける照明灯カバーと、前記照明灯カバーの内部に配置されている複数個のＬＥＤランプとを有しており、
前記照明灯カバーは、当該照明灯カバーを天井面に取り付けた場合に当該天井面とは反対側を向く表面板部分を備えており、
前記表面板部分は、前記照明灯カバーを天井面に取り付けた状態において、天井面に対して９０度未満の角度で傾斜した傾斜板部分、あるいは、天井面に対して９０度未満の角度で接平面が傾斜している凸曲面板部分であり、
前記表面板部分には、前記ＬＥＤランプのそれぞれに対応させて複数個の貫通穴が形成されており、
各ＬＥＤランプは、その発光点が、前記表面板部分の表面よりも下方に突出した状態となるように、対応する各貫通穴を貫通しており、
各貫通穴から下方に突出している各ＬＥＤランプの部分は、各貫通穴を封鎖する状態に前記表面板部分に取り付けた各ランプカバーによって覆われており、
前記ランプカバーは光透過性および光拡散性を備えていることを特徴とするＬＥＤ照明器具。
【請求項２】
前記表面板部分は、前記天井面とは反対側に突出している左右対称な山形状の左右一対の傾斜板部分であり、
各傾斜板部分には、一定の間隔で直線状に前記貫通穴が形成されており、
各ＬＥＤランプは、そのランプ中心軸線が前記傾斜板部分に直交する状態となるように、対応する各貫通穴を貫通していることを特徴とする請求項１に記載のＬＥＤ照明器具。
【請求項３】
前記ランプカバーは、前記貫通穴を貫通した状態で当該貫通穴に嵌め込み固定可能な凸状のカバー本体部分と、このカバー本体部分の外周縁部分に形成した前記貫通穴よりも大きな輪郭形状の枠状フランジとを備えており、
各ランプカバーは、前記貫通穴に嵌め込み固定されていることを特徴とする請求項１または２に記載のＬＥＤ照明器具。
【発明の詳細な説明】
【技術分野】
【０００１】
本発明はＬＥＤランプが一定の間隔で直線状に一列あるいは複数列配置された構成のＬＥＤ照明器具に関し、特に、蛍光灯の代わりに、室内照明用のシーリングライトとして用いるのに適したＬＥＤ照明器具に関する。
【背景技術】
【０００２】
近年、高輝度ＬＥＤランプが量産されるようになり、蛍光灯などの照明灯の代わりに用いる長寿命のＬＥＤ照明器具が実用化されている。特に、一般的に室内照明のためのシーリングライトとして用いられている蛍光灯の代わりにＬＥＤ照明器具を用いることができるようにするために、蛍光灯の蛍光管と同一サイズの円筒管の内部に、多数のＬＥＤランプが装着された構成のＬＥＤ照明管が提案されている。
【０００３】
このようなＬＥＤ照明管は特許文献１〜３に開示されているように、既設あるいは既存の蛍光灯において、蛍光管の代わりにＬＥＤ照明管を取り付けることができるように、ＬＥＤ照明管の両端の口金部分の寸法が蛍光管と同一となっている。たとえば、図４に示すように、照明灯ケースカバー１０１が逆富士形の２灯式の蛍光灯１００においては、左右のケースカバー傾斜面部分１０２、１０３に、一定の隙間を開けてそれぞれ蛍光管１０４、１０５が相互に平行かつ天井面１１０と平行に取り付けられる。これら蛍光管１０４、１０５の代わりに、同一寸法のＬＥＤ照明管を取り付けることにより、既設の蛍光灯１００をＬＥＤ照明器具として用いることができる。
【先行技術文献】
【特許文献】
【０００４】
【特許文献１】特開２００７−２５７９２８号公報
【特許文献２】特開２００７−２８０７３９号公報
【特許文献３】特開２００８−２８２７９３号公報
【発明の概要】
【発明が解決しようとする課題】
【０００５】
ここで、図４に示す蛍光管１０４、１０５の代わりにＬＥＤ照明管を用いた場合には、下側は明るく照明されるが、蛍光管とは異なり天井側への照明光が少なく、天井面側が暗いという問題点がある。照明効果として天井面側を意図的に暗くする場合の他は、室内照明としては天井面側も所定の明るさが得られるように照度を確保することが一般に望ましい。
【０００６】
本発明の課題は、この点に鑑みて、既存あるいは既設の蛍光灯の代わりにシーリングライトとして用いることができ、天井面側も所定の照度を得ることができるようにしたＬＥＤ照明器具を提案することにある。
【課題を解決するための手段】
【０００７】
上記の課題を解決するために、本発明のＬＥＤ照明器具は、
天井面に取り付ける照明灯カバーと、前記照明灯カバーの内部に配置されている複数個のＬＥＤランプとを有しており、
前記照明灯カバーは、当該照明灯カバーを天井面に取り付けた場合に当該天井面とは反対側を向く表面板部分を備えており、
前記表面板部分は、前記照明灯カバーを天井面に取り付けた状態において、天井面に対して９０度未満の角度で傾斜した傾斜板部分、あるいは、天井面に対して９０度未満の角度で接平面が傾斜する曲面から規定される凸曲面板部分であり、
前記表面板部分には、前記ＬＥＤランプのそれぞれに対応させて複数個の貫通穴が形成されており、
各ＬＥＤランプは、その発光点が、前記表面板部分の表面よりも下方に突出した状態となるように、対応する各貫通穴を貫通しており、
各貫通穴から下方に突出している各ＬＥＤランプの部分は、各貫通穴を封鎖する状態に前記表面板部分に取り付けた透光性の各ランプカバーによって覆われており、
前記ランプカバーは光透過性および光拡散性を備えていることを特徴としている。
【０００８】
本発明のＬＥＤ照明器具では、照明灯カバーの内部に配置されている各ＬＥＤランプが、当該照明灯カバーの表面板部分に形成した各貫通穴を貫通して延びており、その発光点が表面板部分から外側に突出した位置にある。この状態のＬＥＤランプがそれぞれ貫通穴に装着したランプカバーによって覆われている。
【０００９】
表面板部分は、照明灯カバーを天井面に取り付けた状態において、天井面に対して９０度未満の角度で傾斜した傾斜平面、あるいは、天井面に対して９０度未満の角度で接平面が傾斜している凸曲面である。したがって、表面板部分から突出した位置に発光点が位置している各ＬＥＤランプからの射出光はランプカバーを通って散乱光となって天井面側にも照射され、天井面側においても所定の照度を確保できる。
【００１０】
本発明のＬＥＤ照明器具において、前記表面板部分が、前記天井面とは反対側に突出している左右対称な山形状の左右一対の傾斜板部分である場合には、各傾斜板部分に、一定の間隔で直線状に前記貫通穴を形成し、各ＬＥＤランプを、そのランプ中心軸線が前記傾斜板部分に直交する状態となるように、対応する各貫通穴を貫通した状態に配置すればよい。
【００１１】
また、本発明のＬＥＤ照明器具において、前記ランプカバーを、前記貫通穴を貫通した状態で当該貫通穴に嵌め込み固定可能な凸状のカバー本体部分と、このカバー本体部分の外周縁部分に形成した前記貫通穴よりも大きな輪郭形状の枠状フランジとを備えたものとすれば、各ランプカバーを前記貫通穴に嵌め込み固定することにより、簡単にランプカバーを取り付けることができる。
【発明の効果】
【００１２】
本発明のＬＥＤ照明器具では、その照明灯カバーに内蔵されている各ＬＥＤランプを、その発光点が照明灯カバーの表面板部分から外方に突出した状態となるように、表面板部分に形成した貫通穴に装着してある。また、表面板部分から突出しているＬＥＤランプの部分を光透過性および光拡散性のランプカバーによって覆っている。したがって、各ＬＥＤランプからの射出光は天井側にも照射され、天井面においても所定の明るさを確保することができる。
【図面の簡単な説明】
【００１３】
【図１】（ａ）、（ｂ）および（ｃ）は、本発明を適用したＬＥＤ照明器具を示す平面図、側面図および右端面図である。
【図２】（ａ）は図１のＬＥＤ照明器具の概略断面図であり、（ｂ）はその部分拡大断面図である。
【図３】図１のＬＥＤ照明器具におけるランプカバーを示す平面図、側面図および端面図である。
【図４】従来の蛍光灯を示す平面図、側面図および端面図である。
【発明を実施するための形態】
【００１４】
以下に、図面を参照して本発明を適用したＬＥＤ照明器具の実施の形態を説明する。
【００１５】
図１および図２を参照して説明すると、本実施の形態に係るＬＥＤ照明器具１は天井面１１０に取り付ける照明灯カバー２を有しており、この照明灯カバー２の内部には、２組のＬＥＤ基板３、４が取り付けられている。
【００１６】
ＬＥＤ基板３には、一定の間隔で複数個のＬＥＤランプ５が一直線状に搭載されており、他方のＬＥＤ基板４にも一定の間隔で複数個のＬＥＤランプ６が搭載されている。ＬＥＤランプ５の列とＬＥＤランプ６の列は相互に平行であり、照明灯カバー２を天井面１１０に取り付けた状態においては、これらのＬＥＤランプ列は天井面１１０に平行に延びる状態になる。
【００１７】
ＬＥＤ基板３、４には、各ＬＥＤランプ５、６を点灯駆動するための駆動回路、商用交流電流をＬＥＤ駆動用の所定電圧の直流電流に変換するための変換回路などが搭載されている。本例では、ＬＥＤランプ５、６がそれぞれ１２個ずつ配列されている。
【００１８】
照明灯カバー２は、たとえば金属板を折り曲げ加工して形成した左右対称の山形状断面のものである。すなわち、天井面１１０に取り付けられる細長い長方形の背面板部分２１を備えており、この背面板部分２１の幅方向の両側縁には直角に折れ曲がった細幅の左右の垂直側板部分２２、２３が連続しており、左右の垂直側板部分２２、２３の先端縁には、垂直方向から内側に向けて９０度未満の角度で折れ曲がって延びている左右の傾斜板部分（表面板部分）２４、２５が連続している。これら左右の傾斜板部分２４、２５の側縁は相互に繋がって鈍角の頂点を形成している。したがって、左右の傾斜板部分２４、２５は天井面１１０とは反対側を向いており、天井面１１０に対して９０度未満の角度で相互に外側に傾斜している。
【００１９】
なお、左右一対の傾斜板部分の代わりに凸曲面板部分としてもよい。この場合には、凸曲面板部分の接平面が天井面１１０に対して９０度未満の角度で傾斜するように、その曲面を規定しておけばよい。
【００２０】
傾斜板部分２４には複数個の長方形の貫通穴２６が形成されており、これらの貫通穴２６は、傾斜板部分２４の長さ方向に沿って、ＬＥＤランプ５と同一の間隔でＬＥＤランプ５と同一個数分だけ直線状に形成されている。同様に、他方の傾斜板部分２５にも複数個の長方形の貫通穴２７が形成されており、これらの貫通穴２７は、傾斜板部分２５の長さ方向に沿って、ＬＥＤランプ６と同一間隔でＬＥＤランプ６と同一個数分だけ直線状に形成されている。貫通穴２６、２７は同一形状の穴である。なお、貫通穴２６、２７の形状は長方形に限定されるものではなく、正方形、正多角形、円形などとすることができる。
【００２１】
ここで、図２（ｂ）に示すように、ＬＥＤ基板３に搭載されている各ＬＥＤランプ５は、傾斜板部分２４における対応する貫通穴２６をカバー内側からカバー外側に貫通した状態に配置されており、その発光点５ａが傾斜板部分２４の外側表面２４ａよりも外側に突出した位置にある。また、各ＬＥＤランプ５は、そのランプ中心軸線が傾斜板部分２４に直交する姿勢に保持されている。同様に、ＬＥＤ基板４に搭載されている各ＬＥＤランプ６も、傾斜板部分２５における対応する貫通穴２７をカバー内側からカバー外側に貫通した状態に配置されており、その発光点が傾斜板部分２５の外側表面よりも外側に突出した位置にある。
【００２２】
また、各貫通穴２６にはランプカバー７が取り付けられており、各貫通穴２６および各貫通穴２６内に配置した各ＬＥＤランプ５が当該ランプカバー７によって覆い隠されている。同様に、各貫通穴２７にはランプカバー８が取り付けられており、各貫通穴２７および各貫通穴２７内に配置した各ＬＥＤランプ６が当該ランプカバー８によって覆い隠されている。これらランプカバー７、８は同一形状の部品である。
【００２３】
図２および図３を参照して説明すると、ランプカバー７、８は、一定厚さのプラスチック板などからなる背面側が開口している直方体形状をしたカバー本体７１、８１と、このカバー本体７１、８１の開口縁側の部分に一体形成した枠状フランジ７２、８２とを備えている。カバー本体７１、８１における枠状フランジ７２、８２よりも背面側の部分は、貫通穴２６、２７に対してカバー外側から嵌め込み可能な輪郭形状のものである。このカバー本体７１、８１は光透過性および光拡散性を備えている。カバー本体７１、８１の断面形状は矩形、凸円弧形状などの各種の凸形状のものとすることができる。
【００２４】
この構成のＬＥＤ照明器具１では、その照明灯カバー２に内蔵されている各ＬＥＤランプ５、６を、それらの発光点が照明灯カバー２の左右の傾斜板部分２４、２５から外方に突出した状態となるように、傾斜板部分２４、２５に形成した貫通穴２６、２７に装着してある。また、傾斜板部分２４、２５から突出しているＬＥＤランプ５、６の部分を光透過性および光拡散性のランプカバー７、８によって覆っている。
【００２５】
したがって、天井面１１０に取り付けた状態において、天井面１１０に対して９０度未満の角度で傾斜した左右の傾斜板部分２４、２５から下方に突出した位置に発光点が位置している各ＬＥＤランプ５、６からの射出光がランプカバー７、８を通って散乱光となって天井面側にも照射される。よって、天井面側においても所定の照度を確保できる。
【符号の説明】
【００２６】
１    ＬＥＤ照明器具
２    照明灯カバー
３、４  ＬＥＤ基板
５、６  ＬＥＤランプ
７、８  ランプカバー
２１  背面板部分
２２、２３  垂直側板部分
２４、２５  傾斜板部分
２６、２７  貫通穴
７１，８１  カバー本体
７２，８２  枠状フランジ
１１０  天井面
【図１】
2011014359.tif 000003
【図２】
2011014359.tif 000004
【図３】
2011014359.tif 000005
【図４】
2011014359.tif 000006